(57)【要約】第１身頃（２）と第２身頃（３）よりなる筒状編地の第１身頃（２）に引き返し編により左右の身頃間に衿刳り（８）を形成し、衿刳り中央部で増目して外層側衿部編成用ループと内層側衿部編成用ループを形成し、外層側衿部編成用ループを第１ベッド上の一本置きの針に保持した状態で内層側衿部編成用ループの全部または一部から第１衿（５ｂ）の形成し、適宜コース編成する毎に移動させて衿刳りのループと重ねて次コースのループを形成する編成を繰り返し、続いて外層側衿部編成用ループの全部または一部から第２衿（５ａ）の形成を開始し、第２衿（５ａ）を適宜コース編成する毎に衿刳り（８）のループと重ねて次コースのループを形成する編成を繰り返して内層側の衿（５ｂ）と外層側の衿（５ａ）が２層に重なる衿（５）を備えた筒状のニット衣類（１）を形成する。
2003057958.tif 000002
【特許請求の範囲】
【請求項１】
少なくとも第１および第２の前後一対の針ベッドを有し、その何れか一方または双方の針ベッドが左右摺動可能に構成される横編機を使用し、第１身頃（例えば前見頃）の編成に針ベッド上の一本置きの第１身頃編成用の針を使用し、第２身頃（例えば後見頃）の編成に針ベッド上の残る一本置きの第２身頃編成用の針を使用し、第１身頃を第１ベッド（例えば前ベッド）に付属させ、第２身頃を第２針ベッド（例えば後ベッド）に付属させて編成を行う針抜き編成により第１身頃と第２身頃がその両端で連続する筒状の編地として裾側から肩部に向けて編成する過程において、衿刳り中央部で内層側の衿と外層側の衿が２層に重なる衿が形成された筒状のニット衣類を横編機上で形成する方法であって以下の工程：
（ａ）      第１身頃における衿刳りの形成開始後、第１−ａ身頃（例えば右前身頃）と第１−ｂ身頃（例えば左前身頃）に分岐して編成し、引き返し編により衿刳りとなるループを順次休止状態としつつ肩部に向けて編成する工程
（ｂ）      衿刳り中央部において、第１身頃のループを増目し、外層側衿部編成用ループと内層側衿部編成用ループをそれぞれ一本置きの針に係止させるとともに、外層側衿部編成用ループまたは内層側衿部編成用ループのいずれかを第２身頃編成用の針に保持する工程
（ｃ）      外層側衿部編成用ループを第１ベッド上の一本置きの針に保持した状態で内層側衿部編成用ループの全部または一部から第１衿（例えば左衿）の形成を開始し、第１衿を適宜コース編成する毎に第１−ｂ身頃側に移動させて側端ループを衿刳りのループと重ねて次コースのループを形成する編成を繰り返す工程
（ｄ）      外層側衿部編成用ループの全部または一部から第２衿（例えば右衿）の形成を開始し、第２衿を適宜コース編成する毎に第１−ａ身頃側に移動させて側端ループを衿刳りのループと重ねて次コースのループを形成する編成を繰り返す工程
を含むことを特徴とする衿形成方法。
【請求項２】
請求項１の工程（ａ）において第１身頃の中央を境界としてＶ字状の衿刳りが形成されるように引き返し編みを行うとともに、工程（ｃ）において、第１衿（例えば左衿）を第１−ａ身頃（例えば右前身頃）内に位置する内層側衿部編成用ループから編成し、工程（ｄ）において、第２衿（例えば右衿）を第１−ｂ身頃（例えば左前身頃）内に位置する外層側衿部編成用ループから編成することを特徴とする請求項１に記載の衿形成方法。
【請求項３】
第１衿と第２衿をリブ編組織で形成することを特徴とする請求項１に記載の衿形成方法。
【発明の詳細な説明】
技術分野
本発明は少なくとも前後一対の針ベッドを備えた横編機で、前編地と後編地が両端で連続する筒状の編地として編成されるニット衣類に２層状の衿を形成する方法に関する。
背景技術
横編機上でセーターを編成する際に、前身頃と後身頃をその両端で連続する筒状の編地として裾ゴムから肩側に向けて編成するとともに、身頃の両側で右袖及び左袖をそれぞれ筒状に編成し、左右両袖を身頃側に移動させつつ袖と身頃を接合し、衿首用開口の周囲にリブ編組織等の編組織により衿を形成し、前身頃と後身頃を肩部分で接合することで、編成完了後の後処理を不要または軽減する編成方法が種々考案されている。
上記編成完了後の後処理を不要または軽減する編成方法の一つとして横編機上で衿首用開口の周縁に衿を形成する方法を日本特許公開２０００−２５６９４６号で本願出願人は先に出願した。日本特許公開２０００−２５６９４６号では先端にフックを備えた針本体と、２枚の薄板を重ね合わせて構成したタングを備えたスライダーとを備え、形成されたループをスライダーのタング上に預け置くホールディング編成が可能な横編機を用いて、前身頃に２層状の衿を針抜きではなく連続する針で編成する方法を開示している。
上記日本特許公開２０００−２５６９４６号に開示される方法を前身頃と後身頃が筒状に編成される編地の編成に応用するためには、衿が２層状に重なる部分を３本置きの針をループの形成に使用する１×３編成を行うか、もしくはホールディング編成が可能な横編機を使用する必要がある。１×３編成により編成した場合には、シンカーループとニードルループのバランスが崩れるとともに、衿のボリューム感が乏しくしっかりした衿を形成できないため商品価値が低下する。また、ホールディング編成を行うためには特別な機構を備えた横編機が必要となる。
本発明は上記した課題に鑑み、前編地と後編地が両端で連続する筒状の編地として編成されるニット衣類に２層状の衿を後処理が不要な状態で形成する方法であって、１×３編成により編成する場合のようにシンカーループとニードルループのバランスが崩れたり、衿のボリューム感が乏しくなることがなく、しかもホールディング編成を行うための特殊な機構を持たない横編機で編成可能な衿形成方法を開示することを目的とする。
発明の開示
上記した問題を解決するため、本発明の衿形成方法は、少なくとも第１および第２の前後一対の針ベッドを有し、その何れか一方または双方の針ベッドが左右摺動可能に構成される横編機を使用し、第１身頃（例えば前見頃）の編成に針ベッド上の一本置きの第１身頃編成用の針を使用し、第２身頃（例えば後見頃）の編成に針ベッド上の残る一本置きの第２身頃編成用の針を使用し、第１身頃を第１ベッド（例えば前ベッド）に付属させ、第２身頃を第２針ベッド（例えば後ベッド）に付属させて編成を行う針抜き編成により第１身頃と第２身頃がその両端で連続する筒状の編地として裾側から肩部に向けて編成する過程において、衿刳り中央部で内層側の衿と外層側の衿が２層に重なる衿が形成された筒状のニット衣類を横編機上で形成する方法であって以下の工程：
（ａ）      第１身頃における衿刳りの形成開始後、第１−ａ身頃（例えば右前身頃）と第１−ｂ身頃（例えば左前身頃）に分岐して編成し、引き返し編により衿刳りとなるループを順次休止状態としつつ肩部に向けて編成する工程
（ｂ）      衿刳り中央部において、第１身頃のループを増目し、外層側衿部編成用ループと内層側衿部編成用ループをそれぞれ一本置きの針に係止させるとともに、外層側衿部編成用ループまたは内層側衿部編成用ループのいずれかを第２身頃編成用の針に保持する工程
（ｃ）      外層側衿部編成用ループを第１ベッド上の一本置きの針に保持した状態で内層側衿部編成用ループの全部または一部から第１衿（例えば左衿）の形成を開始し、第１衿を適宜コース編成する毎に第１−ｂ身頃側に移動させて側端ループを衿刳りのループと重ねて次コースのループを形成する編成を繰り返す工程
（ｄ）      外層側衿部編成用ループの全部または一部から第２衿（例えば右衿）の形成を開始し、第２衿を適宜コース編成する毎に第１−ａ身頃側に移動させて側端ループを衿刳りのループと重ねて次コースのループを形成する編成を繰り返す工程を含むことを特徴とする。
上記した発明の構成によれば、第１身頃を第１ベッドに付属させ、第２身頃を第２ベッドに付属させ、一本置きの針を使用して第１身頃と第２身頃がその両端で連続する筒状の編地として裾側から肩部に向けて編成する。衿刳りの形成を開始する箇所で第１身頃を衿刳りを挟んで第１−ａ身頃と第１−ｂ身頃に分岐して編成を開始し、第１−ａ身頃と第１−ｂ身頃を衿刳りを給糸口の進行方向反転箇所として第１−ａ身頃、第２身頃、第１−ｂ身頃を編成する。そして第１身頃の衿刳り中央部で増目を行い内層側衿部編成用ループと外層側衿部編成用ループとなるループをそれぞれ一本置きの針に係止させる。そして、内層側衿部編成用ループまたは外層側衿部編成用ループのいずれかを目移ししてそれまで第２身頃の形成に使用してきた第２身頃編成用の針に係止される状態とする。そして内層側衿部編成用ループの全部または一部のループから２層に重なる衿の内側に重なる衿の形成を開始し、衿を適宜コース編成する毎に第１−ｂ身頃側に移動させ、衿の側端ループを第１−ｂ身頃の衿刳りのループと重ねて次コースのループを形成する編成を繰り返し第１衿を形成する。続いて外層側衿部編成用ループの全部または一部のループから第２衿の形成を開始し、第２衿を適宜コース編成する毎に第２衿を第１−ａ身頃側に移動させ、第２衿の側端ループを第１−ａ身頃の衿刳りのループと重ねて次コースのループを形成する編成を繰り返して第２衿を形成する。第２衿の形成は第１衿と外層側衿部編成用ループの重なりが解消された後であれば、第１衿を最後まで編成した後に編成を開始してもよいし、第１衿と第２衿を並行して編成することもできる。第１衿と第２衿の編成が最後まで完了すると第１−ａ身頃と第１−ｂ身頃の最終コースのループと第２身頃の最終コースのループを重ねて第１身頃と第２身頃を連結し、伏目処理編成等の解れ止め処理を行ことでニット衣類の編成が完了する。
また、工程（ａ）において第１身頃の中央を境界としてＶ字状の衿刳りが形成されるように引き返し編みを行うとともに、工程（ｃ）において、第１衿（例えば左衿）を第１−ａ身頃（例えば右前身頃）内に位置する内層側衿部編成用ループから編成し、工程（ｄ）において、第２衿（例えば右衿）を第１−ｂ身頃（例えば左前身頃）内に位置する外層側衿部編成用ループから編成することを特徴とする。上記した発明の構成によれば、第１衿と第２衿が重なる部分の下端がＶ字状に形成された美観に優れた衿部を形成できる。
また、本発明は第１衿と第２衿をリブ編組織で形成することも特徴の一つである。上記発明の構成によれば、保型性や美観に優れた衿部を形成できる。
発明を実施するための最良の形態
本発明の実施の一例を図面と共に詳細に説明する。以下に示す実施例では、前後一対の針ベッドを備え、後ベッドが前ベッドに対し長手方向にラッキング可能な二枚ベッド横編機を編成に使用する。第１図は本実施例により編成するセーター１を示す。セーター１は前身頃２と後身頃３がその両端で連続する身頃と左右の袖７ａ，７ｂが脇から肩にかけて接合される。衿首用開口４には前身頃２の中央部に２層に重なる衿が形成される。右前身頃２ａの衿刳り８ａに沿って形成される右側の衿５ａ（以下右衿５ａとする）は、前身頃２中央の右側から編成が開始されて右前身頃２ａの衿刳り８ａに沿って形成され、左側の衿５ｂ（以下左衿５ｂとする）は前身頃２中央の左側から編成が開始されて左前身頃２ｂの衿刳り８ｂに沿って形成される。右衿５ａと左衿５ｂの最終コースのループは後身頃３の最終コースのループと重ねた後、公知の伏せ目処理方法により処理される。
以下、第１図のセーター１に２層の衿を形成する編成を説明する。なお、以下の説明においては実際の編成に使用される針数に比べて極少数の編針を使用する。また、前身頃２と後身頃３を筒状に裾ゴム６側から、左右の袖７ａ，７ｂを袖口側から編成し、脇から肩にかけて身頃と袖を接合する方法は公知であるため、本実施例では衿首用開口４の形成開始以降の編成に限って説明を行う。同様に衿５ａ，５ｂの形成開始後、衿５ａ，５ｂの形成と袖７ａ，７ｂと身頃２，３の接合を並行して行うが袖７ａ，７ｂと前身頃２，後身頃３を接合する編成については説明を省略する。
第２図のコース１は衿刳り８の形成開始前までの編成が完了した時点を示す。第１の身頃である前身頃２の編成には針ベッド上の１本置きの前身頃編成用の針（例えば針ベッドの左端から奇数番目に位置する針）を使用し、第２の身頃である後身頃３の編成に残る一本置きの後身頃編成用の針（例えば針ベッドの左端から偶数番目の針）を使用し、前身頃２を前ベッドに付属させ、後身頃３を後ベッドに付属させて編成する針抜き編成により編成する。付属させるとは例えば後身頃３を編成する際には前身頃２のループを全て前ベッドの針に保持した状態で後身頃３を編成することを前身頃２を前ベッドに付属させると表現し、逆に前身頃２を編成する際に後身頃３のループを全て後ベッドの針に保持した状態で前身頃２を編成ことを後身頃３を後ベッドに付属させると表現する。針抜き編成については本願出願人の先の出願である日本特許公告平３−７５６５６号に開示されているため本願ではこれ以上の説明を省略する。
第２図のコース１では前後身頃２，３において衿５ａ，５ｂが形成される衿刳り８の中央部のループのみが示され、コース１で図示される部分の外側の領域では身頃２，３の残りの部分および左右の袖７ａ，７ｂが編成される。コース１において黒丸で示されるループは２層状の衿５ａ，５ｂの形成を開始する領域内のループであり、第１図においてはＹに相当する。コース２より２層状の衿５ａ，５ｂを形成する編成を開始する。第２図のコース２〜コース１９では衿刳り８を形成するため、衿部５ａ，５ｂの形成に先立って右前身頃２ａと左前身頃２ｂを引き返し編する。コース２及び３では左前身頃２ｂを引き返し編し、右前身頃２ａの側端のループを係止している前ベッドＦＢの針Ｋを衿５ａ，５ｂの形成を開始するまでの間休止状態とする。続いてコース４では後身頃３を編成し、コース５および６では左前身頃２ｂを引き返し編して左前身頃２ｂの側端のループを係止している前ベッドの針Ｍを休止状態とする。
コース７では再度後身頃３を編成し、コース８以降の編成においてはコース２〜７の編成を繰り返しつつ衿刳り８となる領域の編針を順次休止状態としてＶ字状の衿刳り８を形成する。なお、本実施例では衿５ａ，５ｂの形成に先立って右前身頃２ａおよび左前身頃２ｂを後身頃３と接合する最終コースまで形成した後に衿５ａ，５ｂの形成を開始する場合を説明する。しかしながら必ずしも衿５ａ，５ｂの形成開始前に左右の前身頃２ａ，２ｂ及び袖７ａ，７ｂを最後まで編成する必要はなく、左右の前身頃２ａ，２ｂおよび袖７ａ，７ｂの編成を途中で中断し、衿５ａ，５ｂの形成を開始した後、衿５ａ，５ｂと身頃２，３及び袖７ａ，７ｂを並行して編成することも可能である。
上記したように左右の前身頃２ａ，２ｂを最後まで編成した後に衿５ａ，５ｂの形成を開始する場合には領域Ｚのループを引き返し編みにより休止状態とする。第３図及び第４図を使用して衿５ａ，５ｂの形成を説明する。第３図のコース１は引き返し編領域Ｚ全ての編成が完了した状態を示す。前ベッド上には引き返し編の際に休止状態とされたループが係止され、後ベッド上には後身頃３の最終コースのループが係止されている。コース２では休止状態となっていた領域Ｚのループを保持した針に給糸するとともに、衿５ａ，５ｂを形成するための編成を領域Ｙで開始する。コース２では衿刳り８のループに給糸するとともに、衿５ａ，５ｂの形成を開始する領域Ｙにおいて前ベッドＦＢの針Ｇ・Ｉ・Ｋ・Ｍ・Ｏ・Ｑを目移し位置へ上昇させ、ループ拡開部材によりループを押し広げるとともに、後ベッドＢＢの針ｇ・ｉ・ｋ・ｍ・ｏ・ｑを上昇させてフックを前ベッドＦＢの針Ｇ・Ｉ・Ｋ・Ｍ・Ｏ・Ｑに係止されるループ内に進出させる。同時に前ベッドＦＢの針Ｇ・Ｉ・Ｋ・Ｍ・Ｏ・Ｑに給糸し、編糸が前記後ベッドの針ｇ・ｉ・ｋ・ｍ・ｏ・ｑに目移しされるループを潜ってループを形成する割増やしを行う。コース３ではコース２で後ベッドに目移ししたループを衿５ａ，５ｂの形成開始前に後身頃３の形成に使用されていた前ベッドの針Ｈ・Ｊ・Ｌ・Ｎ・Ｐ・Ｒに目移しする。以下の説明ではコース２において前ベッドの針Ｇ・Ｉ・Ｋ・Ｍ・Ｏ・Ｑに係止されているループを内層側衿部（左衿５ｂ）編成用ループとし、後ベッドの針ｇ・ｉ・ｋ・ｍ・ｏ・ｑに係止されているループを外層側衿部（右衿５ａ）編成用ループとするが、コース２で割増やしにより形成され前ベッドと後ベッドに係止されるループの内、何れを内層側衿部編成用ループまたは外層側衿部編成用ループとするかは任意である。
コース４では左衿５ｂの編成に先立って、リブ編の裏目として形成するウエールのループを後ベッドに目移しする。コース５では左前身頃２ｂに左向きに給糸するとともに、内層側衿部編成用ループであって、右前身頃内に位置する３ウエールを使用して左衿５ｂをリブ編する。この時、外層側の右衿５ａを形成するループは全て前ベッド上の後身頃編成用の針上で保持された状態となっている。コース６ではコース５と同様に左衿５ｂを形成した後、コース７では前ベッドの針Ｉのループを後ベッドに目移しし、左衿５ｂのループをそれぞれ右に針２ピッチラッキングして前ベッド上に目移しする。この時、前ベッドの針Ｍには前記引き返し編の際に休止状態とされた左前身頃２ａの衿刳り８ａのループと重ねられる。コース９では裏目を形成するウエールのループを後ベッドに目移しし、コース１０およびコース１１で左衿５ｂをリブ編する。コース１２では針Ｋのループを後ベッドに目移しし、コース１３で左衿５ｂのループを右に２ピッチラッキングして前ベッドに目移しする。上記コース９〜１３に示される編成を繰り返すことで左前身頃２ｂの衿刳り８ｂに沿って左衿５ｂを形成する。左衿５ｂの側端ループと重ねられる左前身頃２ｂのループは、前記増目を行った領域内に位置する左衿編成用のループを含む左身頃２ｂの衿刳り８ｂのループである。以後、図示せぬ編成により後ベッドの針に係止される後身頃３に右から左向きに給糸し、右衿５ａの編成に先立って給糸口を左側に移動させる。
続いて第４図を使用して右衿５ａの編成を説明する。コース１において前記第３図のコース３で目移ししたループが前ベッドの針Ｈ・Ｊ・Ｌ・Ｎ・Ｐ・Ｒに係止されている。コース２では右衿５ａの裏目となるウエールのループを後ベッドを左に１ピッチラッキングした後に後ベッドの空針に目移しする。コース３では右前身頃２ａの編成に先立って左側に移動させた給糸口により右向きに給糸して右前身頃２ａおよび右衿５ａを編成する。コース４では右衿５ａをリブ編した後、コース５では針Ｐのループを後ベッドに目移しし、コース６では右衿５ａを左に２ピッチ移動させて前ベッドに目移しし右衿５ａの左端のループを右前身頃２ａの衿刳り８ａのループと重ねる。コース７ではリブ編みの裏目となるウエールのループを後ベッドに目移しする。コース８および９では右衿５ａに給糸してリブ編する。続いてコース１０では針Ｎのループを後ベッドに目移しした後、コース１１では右衿５ａのループを左に２ピッチ移動させて前ベッドに目移しし、右衿５ａの左端のループを衿刳り８ａのループと重ねる。以降、コース７〜１１と同様の編成を左方向に繰り返し行って右前身頃２ａの衿刳り８ａに右衿５ａを形成する。右衿５ａの側端ループと重ねられる右前身頃２ａのループは、前記増目を行った領域内に位置する右衿編成用のループを含む右身頃２ａの衿刳り８ａのループである。右衿５ａの最終コースのループは後身頃３のループと重ねた後、伏目編成等により解れ止め処理することで衿の形成が完了する。上記編成により前身頃２の中央部において右衿５ａと左衿５ｂが２層に重なった衿が形成される。
なお、上記実施例では右前身頃２ａと左前身頃２ｂを後身頃３と接合する最終コースまで編成した後に衿５ａ，５ｂを形成したが、左右前身頃２ａ，２ｂを途中まで引き返し編みした時点で衿５ａ，５ｂと前身頃２ａ，２ｂ及び袖７ａ，７ｂを並行して形成することも可能である。本実施例の編成方法では左右の衿５ａ，５ｂが２層に重なる状態では一方の左衿５ｂを連続して編成し、左衿５ｂの左端のループが右衿５ａの右端のループより左側に移動し、右衿５ａを左側に移動させる際に左衿５ｂが目移しの邪魔にならない位置まで編成が完了した後に残るもう一方の衿５ａの編成を開始する。これにより編地が３層に重なった状態で衿５ａ，５ｂを編成することが可能となる。また、本実施例の編成方法によればリブ編に使用する空針を確保できるので衿５ａ，５ｂをリブ編組織により形成することができる。
なお、上記実施例では右衿５ａと左衿５ｂの交差の下端がＶ字状になる衿を形成したが、第５図に示すように右衿１１ａと左衿１１ｂの交差の下端が平坦な形状の衿１１を形成することも可能である。第５図に示すセーター１２では、衿刳り１３の中央部に位置する領域のループを休止状態としての右前身頃１４ａと左前身頃１４ｂを引き返し編みする。そして引き返し編完了後に休止状態とした領域で増し目を行い、増目を行った内層側衿部編成用ループの全部から内層側衿部である左衿１１ｂの編成を開始し、同様に外層側衿部編成用ループの全部から外層側衿部である右衿１１ａを形成する。
なお、上記実施例では前後一対のベッドを備えた二枚ベッド横編機を編成に使用したが、前後一対の針ベッド上に上部補助ベッドを備えた三枚又は四枚ベッド横編機を使用しても編成可能である。また、上記実施例では衿５ａ，５ｂの形成開始箇所で割増やしにより新たにループを形成したが割増やし以外の方法、例えば空針ニットでループを形成することも可能であり、衿の編組織も１×１リブ編組織以外の編組織とすることも可能である。
産業上の利用可能性
以上のように、本発明によれば従来は横編機上での編成後に後処理を必要とした形状の衿を後処理が不要な状態にホールディング機構等の特殊な機構を備えていない横編機で形成することができる。また、後身頃と２層の衿が３層に重なる部分の編成において３本置きの針を使用してループの形成を行う１×３編を行う必要がなく、シンカーループとニードルループのバランスが崩れることがなく、ボリューム感に富むしっかりとした衿が形成された商品価値の高いニット製品を編成できる。
【図面の簡単な説明】
第１図は本発明により衿が形成されたセーターを示す図である。
第２図は本発明を示す編成コース図である。第３図は本発明を示す編成コース図である。第４図は本発明を示す編成コース図である。第５図は本発明の他の実施例により衿が形成されたセーターを示す図である。
【図１】
2003057958.tif 000003
【図２】
2003057958.tif 000004
【図３】
2003057958.tif 000005
【図４】
2003057958.tif 000006
【図５】
2003057958.tif 000007
【国際調査報告】
2003057958.tif 000008
2003057958.tif 000009